(57)【要約】【課題】放送受信部で受信したテレビ番組の番組情報を使用して録画媒体のタイトル情報を作成することで、パーソナルコンピュータと通信可能に接続する必要がなく、また、一文字ずつかな文字を選択するためにリモコンのボタンを何十回も押す必要もないテレビ番組録画装置を提供する。【解決手段】テレビ放送を受信する放送受信部１０２と、前記放送受信部１０２で受信したテレビ番組の映像を交換可能な録画媒体１０７に録画する番組録画部１０６と、前記放送受信部１０２で受信したテレビ番組の番組情報を記録する情報記録部１０３と、前記情報記録部１０３に記録された番組情報を使用して前記録画媒体１０７のタイトル情報を作成し、作成されたタイトル情報を前記録画媒体１０７に記録するタイトル情報作成部１０４と、を有することを特徴とする。【選択図】図１
2007228229.tif 000002
【特許請求の範囲】
【請求項１】
テレビ放送を受信する放送受信部と、
前記放送受信部で受信したテレビ番組の映像を交換可能な録画媒体に録画する番組録画部と、
前記放送受信部で受信したテレビ番組の番組情報を記録する情報記録部と、
前記情報記録部に記録された番組情報を使用して前記録画媒体のタイトル情報を作成し、作成されたタイトル情報を前記録画媒体に記録するタイトル情報作成部と、
を有することを特徴とする、
テレビ番組録画装置。
【請求項２】
交換不能な録画装置をさらに有し、
前記番組録画部は前記放送受信部で受信したテレビ番組の映像を前記録画装置に録画することと前記録画装置に録画されたテレビ番組の映像を前記録画媒体に複写または移動することが可能であることを特徴とする、
請求項１に記載のテレビ番組録画装置。
【請求項３】
前記情報記録部は前記放送受信部で受信したテレビ番組の番組情報を前記録画装置の一部に記録することを特徴とする、
請求項２に記載のテレビ番組録画装置。
【請求項４】
前記情報記録部は前記放送受信部で受信したテレビ番組の番組情報を交換可能な記録媒体に記録し、
前記タイトル情報作成部は前記記録媒体に記録された本テレビ番組録画装置外で作成された前記録画媒体のタイトル情報を読み込むことが可能であることを特徴とする、
請求項１から請求項３のいずれかに記載のテレビ番組録画装置。
【請求項５】
前記情報記録部は前記放送受信部で受信したテレビ番組の番組情報をインターネットから取得することを特徴とする、
請求項１から請求項４のいずれかに記載のテレビ番組録画装置。
【発明の詳細な説明】
【技術分野】
【０００１】
本発明は、テレビ番組を交換可能な録画媒体に録画するテレビ番組録画装置に関するものであり、特に録画媒体のタイトル作成に関する。
【背景技術】
【０００２】
録画媒体のタイトル作成に関する先行文献として、特許文献１がある。特許文献１に記載の録画システムは、テレビ番組録画装置と通信可能に接続されたパーソナルコンピュータより構成される。
【０００３】
テレビ番組録画装置にテレビ番組の番組情報をパーソナルコンピュータにより読み取り可能な形式で格納したテーブルを作成するプログラムを組み込む。
【０００４】
テレビ番組録画装置からパーソナルコンピュータにテレビ番組の映像そのものは送信せずに、番組情報のみを送信する。番組情報は、情報量が少ないため短時間で送信される。
【０００５】
パーソナルコンピュータは、番組情報を用いて録画媒体のメニュー画面を作成する。メニュー画面のデザインは、パーソナルコンピュータのプログラムを用いることにより、高い柔軟性を持って編集される。作成されたメニュー画面は、テレビ番組録画装置に送信される。
【０００６】
テレビ番組録画装置は、受信したメニュー画面の情報を録画媒体に書き込むとともに、テレビ番組の映像を録画媒体に書き出す。
【特許文献１】特開２００５−１０９５８５号公報
【発明の開示】
【発明が解決しようとする課題】
【０００７】
しかしながら、特許文献１に記載の技術では、録画媒体のメニュー画面を高い自由度で編集することを容易にするものの、テレビ番組録画装置とパーソナルコンピュータを通信可能に接続する手間がかかる。
【０００８】
一方、テレビ番組録画装置のみで録画媒体のタイトルを作成する場合は、付属のリモコンで一文字ずつかな文字を選択し、必要に応じて漢字やカタカナに変換してタイトルを作成することが行われている。
【０００９】
しかしながら、この場合は、タイトルを作成するまでにリモコンのボタンを何十回も押す作業が必要となる。
【００１０】
そこで、本発明は、放送受信部で受信したテレビ番組の番組情報を使用して録画媒体のタイトル情報を作成することで、パーソナルコンピュータと通信可能に接続する必要がなく、また、一文字ずつかな文字を選択するためにリモコンのボタンを何十回も押す必要もないテレビ番組録画装置を提供するものである。
【課題を解決するための手段】
【００１１】
前記課題を解決するために、本発明のテレビ番組録画装置は、テレビ放送を受信する放送受信部と、前記放送受信部で受信したテレビ番組の映像を交換可能な録画媒体に録画する番組録画部と、前記放送受信部で受信したテレビ番組の番組情報を記録する情報記録部と、前記情報記録部に記録された番組情報を使用して前記録画媒体のタイトル情報を作成し、作成されたタイトル情報を前記録画媒体に記録するタイトル情報作成部と、を有することを特徴とする。
【００１２】
また、本発明の第２のテレビ番組録画装置は、交換不能な録画装置をさらに有し、前記番組録画部は前記放送受信部で受信したテレビ番組の映像を前記録画装置に録画することと前記録画装置に録画されたテレビ番組の映像を前記録画媒体に複写または移動することが可能であることを特徴とする。
【００１３】
また、本発明の第３のテレビ番組録画装置は、前記情報記録部が前記放送受信部で受信したテレビ番組の番組情報を前記録画装置の一部に記録することを特徴とする。
【００１４】
また、本発明の第４のテレビ番組録画装置は、前記情報記録部が前記放送受信部で受信したテレビ番組の番組情報を交換可能な記録媒体に記録し、前記タイトル情報作成部が前記記録媒体に記録された本テレビ番組録画装置外で作成された前記録画媒体のタイトル情報を読み込むことが可能であることを特徴とする。
【００１５】
また、本発明の第５のテレビ番組録画装置は、前記情報記録部が前記放送受信部で受信したテレビ番組の番組情報をインターネットから取得することを特徴とする。
【発明の効果】
【００１６】
本発明のテレビ番組録画装置は、放送受信部で受信したテレビ番組の番組情報を使用して録画媒体のタイトル情報を作成するので、パーソナルコンピュータと通信可能に接続する必要がなく、また、一文字ずつかな文字を選択するためにリモコンのボタンを何十回も押す必要もない。
【発明を実施するための最良の形態】
【００１７】
１．テレビ番組録画装置の構成
以下、本発明の実施の形態を、図面を参照しながら説明する。図１は、本発明のテレビ番組録画装置の構成を示すブロック図である。
【００１８】
放送受信部１０２は、アンテナ１０１で受信したテレビ電波から、操作部１０５で指示されたチャンネルを選局する。操作部１０５は、リモコン１０９からの指示を受けることも可能である。
【００１９】
番組録画部１０６は、選局されたチャンネルのテレビ番組の映像を交換可能な録画媒体であるＤＶＤ−ＲＡＭディスク１０７または交換不能な録画装置であるハードディスク１０８に録画する。
【００２０】
番組録画部１０６は、ハードディスク１０８に録画されたテレビ番組の映像をＤＶＤ−ＲＡＭディスク１０７に複写または移動することが可能である。逆に、ＤＶＤ−ＲＡＭディスク１０７に録画されたテレビ番組の映像をハードディスク１０８に複写または移動することも可能である。
【００２１】
情報記録部１０３は、テレビ電波の垂直帰線期間に重畳されている電子番組表の情報の中から、本発明のテレビ番組録画装置が録画したテレビ番組の番組情報を、番組録画部１０６を経由してハードディスク１０８の一部に記録する。
【００２２】
タイトル情報作成部１０４は、情報記録部１０３から本発明のテレビ番組録画装置が録画したテレビ番組の番組情報を取得し、操作部１０５の指示に従ってＤＶＤ−ＲＡＭディスク１０７のタイトル情報を作成する。作成されたタイトル情報は、番組録画部１０６を経由してＤＶＤ−ＲＡＭディスク１０７に記録される。
２．タイトル情報の作成例
次に、タイトル情報作成部１０４でのタイトル情報の作成について、図を用いて例示する。図２は、情報記録部１０３が記録した本発明のテレビ番組録画装置が録画したテレビ番組の番組情報の一例である。記号「−」は、情報がないことを示している。
【００２３】
このような番組情報からタイトル情報を作成する方法は、種々考えられる。例えば、最も早く録画されたテレビ番組の番組名に、「他」などの文字を追加してタイトル情報とすることが考えられる。
【００２４】
図２では、最も早く録画されたテレビ番組の番組名は、「ビッグリーグベースボール」であるから、これに「他」を追加した「ビッグリーグベースボール他」をタイトル情報とする。
【００２５】
このとき、「ビッグリーグベースボール」は番組情報中に存在する文字列であり、「他」はタイトル情報作成部が自動的に付加するので、タイトルを作成するまでにリモコンのボタンを何十回も押す作業は必要ない。
【００２６】
図２では、説明のため、様々なジャンルのテレビ番組の番組情報を示したが、すべてのテレビ番組またはほとんどのテレビ番組のジャンルが同じ場合は、そのジャンル名に「１」、「２」などの連番を追加してタイトル情報とすることが考えられる。
【００２７】
例えば、すべてのテレビ番組またはほとんどのテレビ番組のジャンルが「スポーツ」のときは、「スポーツ１」、「スポーツ２」などをタイトル情報とする。
【００２８】
このとき、「スポーツ」はあらかじめ決められたジャンルを表す文字列であり、タイトル情報作成部が自動的に付加するので、「１」、「２」などの連番のみを指示すればよい。
【００２９】
すべてのテレビ番組またはほとんどのテレビ番組の番組名や出演者が同じ場合も同様に、その番組名や出演者名に「１」、「２」などの連番を追加してタイトル情報とする。
【００３０】
このとき、番組名や出演者名は番組情報中に存在する文字列であり、タイトル情報作成部が自動的に付加するので、「１」、「２」などの連番のみを指示すればよい。
【００３１】
また、最も早く録画されたテレビ番組と最も遅く録画されたテレビ番組の放送日を「〜」などの文字で結合してタイトル情報とすることが考えられる。
【００３２】
図２では、最も早く録画されたテレビ番組の放送日は「２００５年１１月０３日」であり、最も遅く録画されたテレビ番組の放送日は「２００６年０１月０９日」であるから、これらを「〜」で結合した「２００５年１１月０３日〜２００６年０１月０９日」をタイトル情報とする。
【００３３】
このとき、「２００５年１１月０３日」と「２００６年０１月０９日」は番組情報中に存在する文字列であり、「〜」はタイトル情報作成部が自動的に付加するので、タイトルを作成するまでにリモコンのボタンを何十回も押す作業は必要ない。
３．交換可能な記録媒体を有する構成
図３は、交換可能な記録媒体を有する場合の本発明のテレビ番組録画装置の構成を示すブロック図である。図１に示した本発明のテレビ番組録画装置の構成を示すブロック図に、メモリカードコネクタ３０１と交換可能な記録媒体であるメモリカード３０２が追加されている。
【００３４】
情報記録部１０３は、放送受信部１０２で受信したテレビ番組の番組情報を、メモリカードコネクタ３０１を経由してメモリカード３０２に記録することができる。
【００３５】
番組情報が記録されたメモリカード３０２は、パーソナルコンピュータなどに装着して適当なプログラムを使用することにより、番組情報を閲覧することができる。パーソナルコンピュータなどで番組情報を参考にしてタイトル情報を作成し、所定の形式でメモリカード３０２に記録する。
【００３６】
所定の形式とは、例えば、図４に示すように、Ｔｉｔｌｅ．ｔｘｔ４０１というファイル名のファイルにタイトル情報を１行だけ記録することとしてもよい。図４で、「スポーツ１  ２００５年１１月０３日〜２００６年０１月０９日」は、パーソナルコンピュータなどで番組情報を参考にして作成したタイトル情報である。
【００３７】
図３に戻って、タイトル情報作成部１０４は、パーソナルコンピュータなどでＴｉｔｌｅ．ｔｘｔ４０１というファイル名のファイルに記録されたタイトル情報である「スポーツ１  ２００５年１１月０３日〜２００６年０１月０９日」を読み込む。
【００３８】
交換可能な記録媒体を有する構成では、パーソナルコンピュータなどを用いてタイトル情報を簡単に編集することができる利点が得られるが、テレビ番組録画装置とパーソナルコンピュータを通信可能に接続するような手間はかからない。
【００３９】
また、電子番組表を使用せずに録画したテレビ番組や外部入力から録画した映像では番組情報が得られない。そのような場合に、交換可能な記録媒体を有する構成は、大きな効果を奏する。
４．番組情報をインターネットから取得する構成
図５は、番組情報をインターネットから取得する場合の本発明のテレビ番組録画装置の構成を示すブロック図である。図１に示した本発明のテレビ番組録画装置の構成を示すブロック図に、ネットワーク接続部５０１が追加されている。また、情報記録部１０３は、放送受信部１０２ではなく、ネットワーク接続部５０１に接続されている。
【００４０】
ネットワーク接続部５０１は、インターネット５０２上の電子番組表提供サーバ５０３にアクセスして、番組情報を取得する。その他の構成は、「１．テレビ番組録画装置の構成」および「３．交換可能な記録媒体を有する構成」で説明した内容と同じである。
【００４１】
テレビ電波の垂直帰線期間に重畳されている電子番組表の情報を取得する場合は、電波状況が悪い場合に電子番組表の情報を正しく取得できないことがあるが、インターネット５０２上の電子番組表提供サーバ５０３にアクセスして番組情報を取得する場合は、電波状況に影響されない。
【００４２】
また、テレビ電波の垂直帰線期間に重畳されている電子番組表の情報は１日に数回しか送信されないが、インターネット５０２上の電子番組表提供サーバ５０３には常にアクセス可能である。
５．その他
交換可能な記録媒体としてＤＶＤ−ＲＡＭ１０７を例示したが、これに限定するものではない。他の書き換えや追記が可能な光ディスクなどでもよいし、半導体メモリを使用したメモリカードなどでもよい。また、交換不能な録画装置としてハードディスク１０８を例示したが、これに限定するものではない。半導体メモリを使用した記録装置などでもよい。
【００４３】
タイトル情報の作成例として３つの方法を例示したが、これらに限定するものではない。番組情報からタイトル情報を作成する方法は使用者の嗜好に依存するところが大きいため、できるだけ多くの方法を準備して選択可能にしておくことが好ましい。
【産業上の利用可能性】
【００４４】
本発明のテレビ番組録画装置は、放送受信部で受信したテレビ番組の番組情報を使用して録画媒体のタイトル情報を容易に作成することができる。従って、交換可能な録画媒体に映像を録画するＤＶＤレコーダなどにおいて有用である。
【図面の簡単な説明】
【００４５】
【図１】本発明のテレビ番組録画装置の構成を示すブロック図
【図２】番組情報の一例を示す図
【図３】交換可能な記録媒体を有する場合のブロック図
【図４】交換可能な記録媒体にタイトル情報を記録する場合のファイル構成を示す図
【図５】番組情報をインターネットから取得する場合のブロック図
【符号の説明】
【００４６】
１０１    アンテナ
１０２    放送受信部
１０３    情報記録部
１０４    タイトル情報作成部
１０５    操作部
１０６    番組録画部
１０７    ＤＶＤ−ＲＡＭディスク
１０８    ハードディスク
１０９    リモコン
【図１】
2007228229.tif 000003
【図２】
2007228229.tif 000004
【図３】
2007228229.tif 000005
【図４】
2007228229.tif 000006
【図５】
2007228229.tif 000007